(57)【要約】【課題】  水の浄化用フィルターカートリッジに於いて、閉塞し難くて水が均一に流れるようにし、ろ過材の延命化やコストの低減等を図れるようにする。【解決手段】  同心円状に配設された外側の円筒状多孔性フィルター２及び内側の円筒状多孔性フィルター３と、外側の円筒状多孔性フィルター２と内側の円筒状多孔性フィルター３との間隙に充填されたろ過材４と、両円筒状多孔性フィルター２，３及びろ過材４の一端部側を支持する密閉エンドキャップ５と、両円筒状多孔性フィルター２，３及びろ過材４の他端部側を支持し、浄化水Ｗ′の流出口６ａを形成した開口エンドキャップ６とから構成した水の浄化用フィルターカートリッジ１であって、前記ろ過材４が、粒状、粉状又は繊維状であり、固形状に成形されていないろ過材４である。【選択図】      図１
2010005485.tif 000002
【特許請求の範囲】
【請求項１】
同心円状に配設された外側の円筒状多孔性フィルター及び内側の円筒状多孔性フィルターと、外側の円筒状多孔性フィルターと内側の円筒状多孔性フィルターとの間隙に充填されたろ過材と、両円筒状多孔性フィルター及びろ過材の一端部側を密閉状に支持する密閉エンドキャップと、両円筒状多孔性フィルター及びろ過材の他端部側を密閉状に支持し、内側の円筒状多孔性フィルターの内部空間に連通する浄化水の流出口を形成した開口エンドキャップとから構成されており、水を外側の円筒状多孔性フィルター、ろ過材及び内側の円筒状多孔性フィルターの半径方向へ流通させて浄化するようにした水の浄化用フィルターカートリッジであって、前記ろ過材が、粒状、粉状又は繊維状であり、固形状に成形されていないことを特徴とする水の浄化用フィルターカートリッジ。
【請求項２】
内側の円筒状多孔性フィルターの内部空間に、筒状のケース内に抗菌材又は水活性材若しくは抗菌材及び水活性材の両方を充填して成る４次フィルターを開口エンドキャップの流出口に連通する状態で配設し、外側の円筒状多孔性フィルター、ろ過材及び内側の円筒状多孔性フィルターを通過した浄化水を４次フィルターを通過させる構成としたことを特徴とする請求項１に記載の水の浄化用フィルターカートリッジ。
【請求項３】
ろ過材が活性炭から成ることを特徴とする請求項１又は請求項２に記載の水の浄化用フィルターカートリッジ。
【請求項４】
ろ過材がセラミックスから成ることを特徴とする請求項１又は請求項２に記載の水の浄化用フィルターカートリッジ。
【請求項５】
ろ過材が、銅、黄銅、錫、亜鉛、マグネシウム、シリコン、チタン、銀、プラチナ、金、ゲルマニウム、バナジウム等の金属のうちの何れか一種類又は二種類以上の金属から成ることを特徴とする請求項１又は請求項２に記載の水の浄化用フィルターカートリッジ。
【請求項６】
ろ過材が、活性炭、セラミックス又は金属のうちの少なくとも二種類以上の混合物から成ることを特徴とする請求項１又は請求項２に記載の水の浄化用フィルターカートリッジ。
【請求項７】
ろ過材に亜硫酸カルシウムが含まれていることを特徴とする請求項１、請求項２、請求項３、請求項４、請求項５又は請求項６に記載の水の浄化用フィルターカートリッジ。
【請求項８】
外側の円筒状多孔性フィルター及び内側の円筒状多孔性フィルターの材質が、ポリプロピレン樹脂材、ポリエチレン樹脂材又はポリエチレンテレフタレート樹脂材であることを特徴とする請求項１、請求項２、請求項３、請求項４、請求項５、請求項６又は請求項７に記載の水の浄化用フィルターカートリッジ。
【発明の詳細な説明】
【技術分野】
【０００１】
本発明は、主に一般家庭や病院、工場、事務所等で水道水の浄化処理に使用される浄水器や浄化装置に用いられるものであり、閉塞し難くて水が均一に流れるようにし、ろ過材の延命化やコストの低減等を図れるようにした水の浄化用フィルターカートリッジに関するものである。
【背景技術】
【０００２】
近年、公共の水道水の水質の悪化が問題となっている。これは、水道水の原水そのものの水質が悪化しており、それに伴って浄水場に於いて、酸化剤や滅菌剤として塩素を多量に注入する必要が生じているからである。
【０００３】
水質自体が悪化したり、水道水に多量の塩素が含まれていると、味が悪くなったり、異臭がしたり、更には人体の健康上の点からも好ましくない。このため、一般家庭や病院、工場、事務所等に於いては、水道水を浄化処理する浄水器や浄化装置が使用されることが多くなって来ている。
【０００４】
前記浄水器や浄化装置には、活性炭フィルターを用いたカートリッジや粒状活性炭を用いたカートリッジが広く使用されている（例えば、特許文献１、特許文献２、特許文献３及び特許文献４等参照）。
【０００５】
即ち、活性炭フィルターを用いたカートリッジは、ピッチにより形成された繊維状の活性炭を用いて適宜の長さの中空円筒状に成形固化した活性炭フィルター等から構成されており、水道水を半径方向へ流通させることによって、水道水に含まれている塩素や夾雑物等を除去するようになっている。
【０００６】
又、粒状活性炭を用いたカートリッジは、ケース内に多数の粒状活性炭を充填して成り、水道水を上から下に通過させることによって、水道水に含まれている塩素や夾雑物等を除去するようになっている。
【０００７】
しかし、活性炭フィルターを用いたカートリッジは、活性炭フィルターが成形固化されているため、水に含まれている濁度成分により閉塞し易く、カートリッジを短期間で交換したり、或いは洗浄したりしなければならず、経済性や取扱性等に劣ると云う問題があった。然も、活性炭フィルターを成形固化するようにしているため、加工コストの高騰を招くと云う問題があった。
【０００８】
又、粒状活性炭を用いたカートリッジは、水がケース内に充填した粒状活性炭内を通過したときに、粒状活性炭内に水の通り道（バイパス）が形成され、水が均一に通過しないことがある。その結果、粒状活性炭を用いたカートリッジは、全ての粒状活性炭が有効に利用されておらず、水の浄化処理機能が低下すると云う問題があった。
【０００９】
【特許文献１】特開平９−１０８６５６号公報
【特許文献２】特開平９−１１７７５８号公報
【特許文献３】特開２００２−０５９１５３号公報
【特許文献４】登録実用新案第３１０８４５０号公報
【発明の開示】
【発明が解決しようとする課題】
【００１０】
本発明は、このような問題点に鑑みて為されたものであり、その目的は、閉塞し難くて水が均一に流れるようにし、ろ過材の延命化やコストの低減等を図れるようにした水の浄化用フィルターカートリッジを提供することにある。
【課題を解決するための手段】
【００１１】
上記目的を達成する為に、本発明の請求項１の発明は、同心円状に配設された外側の円筒状多孔性フィルター及び内側の円筒状多孔性フィルターと、外側の円筒状多孔性フィルターと内側の円筒状多孔性フィルターとの間隙に充填されたろ過材と、両円筒状多孔性フィルター及びろ過材の一端部側を密閉状に支持する密閉エンドキャップと、両円筒状多孔性フィルター及びろ過材の他端部側を密閉状に支持し、内側の円筒状多孔性フィルターの内部空間に連通する浄化水の流出口を形成した開口エンドキャップとから構成されており、水を外側の円筒状多孔性フィルター、ろ過材及び内側の円筒状多孔性フィルターの半径方向へ流通させて浄化するようにした水の浄化用フィルターカートリッジであって、前記ろ過材が、粒状、粉状又は繊維状であり、固形状に成形されていないことに特徴がある。
【００１２】
本発明の請求項２の発明は、請求項１の発明に於いて、内側の円筒状多孔性フィルターの内部空間に、筒状のケース内に抗菌材又は水活性材若しくは抗菌材及び水活性材の両方を充填して成る４次フィルターを開口エンドキャップの流出口に連通する状態で配設し、外側の円筒状多孔性フィルター、ろ過材及び内側の円筒状多孔性フィルターを通過した浄化水を４次フィルターを通過させる構成としたことに特徴がある。
【００１３】
本発明の請求項３の発明は、請求項１又は請求項２の発明に於いて、ろ過材が活性炭から成ることに特徴がある。
【００１４】
本発明の請求項４の発明は、請求項１又は請求項２の発明に於いて、ろ過材がセラミックスから成ることに特徴がある。
【００１５】
本発明の請求項５の発明は、請求項１又は請求項２の発明に於いて、ろ過材が、銅、黄銅、錫、亜鉛、マグネシウム、シリコン、チタン、銀、プラチナ、金、ゲルマニウム、バナジウム等の金属のうちの何れか一種類又は二種類以上の金属から成ることに特徴がある。
【００１６】
本発明の請求項６の発明は、請求項１又は請求項２の発明に於いて、ろ過材が、活性炭、セラミックス又は金属のうちの少なくとも二種類以上の混合物から成ることに特徴がある。
【００１７】
本発明の請求項７の発明は、請求項１、請求項２、請求項３、請求項４、請求項５又は請求項６の発明に於いて、ろ過材に亜硫酸カルシウムが含まれていることに特徴がある。
【００１８】
本発明の請求項８の発明は、請求項１、請求項２、請求項３、請求項４、請求項５、請求項６又は請求項７の発明に於いて、外側の円筒状多孔性フィルター及び内側の円筒状多孔性フィルターの材質が、ポリプロピレン樹脂材、ポリエチレン樹脂材又はポリエチレンテレフタレート樹脂材であることに特徴がある。
【発明の効果】
【００１９】
本発明の水の浄化用フィルターカートリッジは、次のような優れた効果を奏することができる。
（１）本発明の水の浄化用フィルターカートリッジは、同心円状に配設した外側の円筒状多孔性フィルターと内側の円筒状多孔性フィルターとの間隙に、固形状に成形していない粒状、粉状又は繊維状のろ過材を充填し、水を成形固化していないろ過材の半径方向へ流通させる構成としているため、ろ過材が閉塞し難くなると共に、水がろ過材内を均一に流れて全てのろ過材が有効に利用されることなる。
その結果、本発明の水の浄化用フィルターカートリッジは、寿命が大幅に延びると共に、交換や洗浄の回数が少なくなって経済性や取扱性に優れたものとなる。
（２）本発明の水の浄化用フィルターカートリッジは、内側の円筒状多孔性フィルターと外側の円筒状多孔性フィルターとの間隙に、成形固化していない粒状、粉状又は繊維状のろ過材を充填しているため、成形固化したフィルターを用いたカートリッジに比較してコストの低減を図れる。
（３）本発明の水の浄化用フィルターカートリッジは、水が外側の円筒状多孔性フィルター、ろ過材及び内側の円筒状多孔性フィルターを順次通過するため、水のろ過率が高くなると共に、ろ過材のみを用いたカートリッジに比較してろ過材の寿命が長くなる。
（４）本発明の水の浄化用フィルターカートリッジは、内側の円筒状多孔性フィルターの内部空間に、筒状のケース内に抗菌材又は水活性材若しくは抗菌材及び水活性材の両方を充填して成る４次フィルターを開口エンドキャップの流出口に連通する状態で配設し、外側の円筒状多孔性フィルター、ろ過材及び内側の円筒状多孔性フィルターを通過した浄化水を更に４次フィルターを通過させる構成としているため、水のろ過率がより一層高くなる。
（５）本発明の水の浄化用フィルターカートリッジは、ろ過材がセラミックス又は金属から成る場合、セラミックスや金属の特性を生かした様々な機能水を作ることができる。
（６）本発明の水の浄化用フィルターカートリッジは、ろ過材が活性炭、セラミックス又は金属のうちの少なくとも二種類以上の混合物から成る場合、様々なろ過材を目的に合わせて自由に混合して作ることができるうえ、成形固化等の工程を必要としないのでろ過材を簡単且つ容易に作ることができる。
（７）本発明の水の浄化用フィルターカートリッジは、ろ過材に亜硫酸カルシウムが含まれている場合、水に含まれている残留塩素を効率良く素早く分解除去することができる。
【発明を実施するための最良の形態】
【００２０】
以下、本発明の実施の形態を図面に基づいて詳細に説明する。
図１は本発明の第１の実施形態に係る水の浄化用フィルターカートリッジ１を示し、当該水の浄化用フィルターカートリッジ１は、主に一般家庭や病院、工場、事務所等に於いて飲料用や調理用、風呂用等に用いる水道水Ｗ（水）を浄化処理する浄水器や浄化装置に使用されるものであり、水道水Ｗの浄化処理機能を有することは勿論のこと、閉塞し難くて水道水Ｗが均一に流れるようにし、ろ過材の延命化等を図るようにしたものである。
【００２１】
即ち、前記水の浄化用フィルターカートリッジ１は、図１に示す如く、同心円状に配設された外側の円筒状多孔性フィルター２及び内側の円筒状多孔性フィルター３と、外側の円筒状多孔性フィルター２と内側の円筒状多孔性フィルター３との間隙に充填された粒状、粉状又は繊維状の成形固化されていないろ過材４と、両円筒状多孔性フィルター２，３及びろ過材４の一端部側（上端部側）を密閉状に支持する密閉エンドキャップ５と、両円筒状多孔性フィルター２，３及びろ過材４の他端部側（下端部側）を密閉状に支持し、中心部に両円筒状多孔性フィルター２，３及びろ過材４を通過した浄化水Ｗ′が流出する流出口６ａを形成した開口エンドキャップ６とから構成されており、水道水Ｗが外側の円筒状多孔性フィルター２、ろ過材４及び内側の円筒状多孔性フィルター３を半径方向へ流通し、内側の円筒状多孔性フィルター３の内部空間を通って開口エンドキャップ６の流出口６ａから浄化水Ｗ′となって流出するようにしたものである。
【００２２】
前記外側の円筒状多孔性フィルター２及び内側の円筒状多孔性フィルター３は、ポリプロピレン樹脂材（ＰＰ樹脂材）、ポリエチレン樹脂材（ＰＥ樹脂材）又はポリエチレンテレフタレート樹脂材（ＰＥＴ樹脂材）により多孔性を有する円筒状に形成されている。
【００２３】
具体的には、外側の円筒状多孔性フィルター２及び内側の円筒状多孔性フィルター３は、ポリプロピレン繊維製、ポリエチレン繊維製又はポリエチレンテレフタレート繊維製の不織布又は織布により多孔性を有する円筒状に形成されている。
又、外側の円筒状多孔性フィルター２及び内側の円筒状多孔性フィルター３の通水孔径は、外側の円筒状多孔性フィルター２と内側の円筒状多孔性フィルター３との間隙に充填された粒状、粉状又は繊維状のろ過材４の流出を防止すると共に、水道水Ｗを通過せしめて水道水Ｗ中の比較的粒径の大きな無機物や有機物等を通過させずに除去できる程度に設定されている。この実施形態に於いては、両円筒状多孔性フィルター２，３の平均孔径は、５μｍ〜１５μｍ程度に設定されている。
更に、外側の円筒状多孔性フィルター２及び内側の円筒状多孔性フィルター３の厚みは、両円筒状多孔性フィルター２，３が円筒形状を保つことができる機械的強度を有するように設定されている。
【００２４】
尚、上記の実施形態に於いては、外側の円筒状多孔性フィルター２及び内側の円筒状多孔性フィルター３をポリプロピレン繊維製、ポリエチレン繊維製又はポリエチレンテレフタレート繊維製の不織布又は織布により多孔性を有する円筒状に形成するようにしたが、他の実施形態に於いては、外側の円筒状多孔性フィルター２及び内側の円筒状多孔性フィルター３をポリプロピレン樹脂製、ポリエチレン樹脂製又はポリエチレンテレフタレート樹脂製の樹脂粒又は樹脂粉末を円筒状に焼き固めて形成するようにしても良い。この場合、両円筒状多孔性フィルター２，３は、多孔性を有し、且つ円筒形状を保てる機械的強度を有していることは勿論である。
【００２５】
前記ろ過材４は、活性炭、セラミックス又は金属のうちの何れか一種類又は二種類以上の混合物から成り、粒状、粉状又は繊維状であり、固形状に成形されていない状態で外側の円筒状多孔性フィルター２と内側の円筒状多孔性フィルター３との間隙に充填されている。このとき、粒状又は粉状のろ過材４には、外側の円筒状多孔性フィルター２及び内側の円筒状多孔性フィルター３の通水孔の径よりも大きいものが使用されており、ろ過材４が両円筒状多孔性フィルター２，３を通して流出しないようになっている。
【００２６】
この実施形態に於いては、過材４は、木炭、ヤシ殻炭、石炭等を原料とする粒状の活性炭、オガ屑、硬質の木材チップ、木炭等を原料とする粉状の活性炭又はレーヨン、アクリロニトリル、石炭ピッチ、石油ピッチ等を原料とする繊維状の活性炭のうちの何れか一種類又は二種類以上の活性炭から成り、固形状に成形されていない状態で外側の円筒状多孔性フィルター２と内側の円筒状多孔性フィルター３との間隙に充填されている。
【００２７】
尚、上記の実施形態に於いては、ろ過材４に活性炭を使用するようにしたが、他の実施形態に於いては、ろ過材４にセラミックスから成るろ過材４又は金属から成るろ過材４を使用するようにしても良い。
即ち、セラミックス製のろ過材４は、界面活性及び浸透力の向上を図る粒状又は粉状の圧電性電子セラミックス、溶解力及び熱伝導性の向上を図る粒状又は粉状の遠赤外線セラミックス、味の改善を図る粒状又は粉状のミネラルセラミックス、溶解力及び浸透力の向上を図る粒状又は粉状の磁気セラミックス、抗菌のための粒状又は粉状の銅イオンセラミックスのうちの何れか一種類又は二種類以上の粒状又は粉状のセラミックスから成り、固形状に成形されていない状態で外側の円筒状多孔性フィルター２と内側の円筒状多孔性フィルター３との間隙に充填されている。
一方、金属製のろ過材４は、銅、黄銅、錫、亜鉛、マグネシウム、シリコン、チタン、銀、プラチナ、金、ゲルマニウム、バナジウム等の粒状又は粉状の金属のうちの何れか一種類又は二種類以上の金属から成り、固形状に成形されていない状態で外側の円筒状多孔性フィルター２と内側の円筒状多孔性フィルター３との間隙に充填されている。
【００２８】
又、上記の実施形態に於いては、活性炭から成るろ過材４、セラミックスから成るろ過材４、金属から成るろ過材４を夫々単独で使用するようにしたが、他の実施形態に於いては、ろ過材４に、活性炭とセラミックスを混合したもの、活性炭と金属を混合したもの、セラミックスと金属を混合したもの、活性炭とセラミックスと金属を混合したものを使用するようにしても良い。
【００２９】
そして、前記ろ過材４には、残留塩素を除去する粒状の亜硫酸カルシウムが適宜量混合されている。この亜硫酸カルシウムは、亜硫酸イオンを微量に水道水Ｗに溶かしながら、残留塩素と反応するのが特徴であり、反応速度が速く、残留塩素を効率的に分解するものである。そのため、水の処理量を多くすることができる。
【００３０】
前記密閉エンドキャップ５は、ＡＢＳ樹脂等の樹脂材により円盤状に形成されており、両円筒状多孔性フィルター２，３の上端部側を密閉状に支持すると共に、外側の円筒状多孔性フィルター２と内側の円筒状多孔性フィルター３との間隙の上端部開口及び内側の円筒状多孔性フィルター３の上端部開口を夫々密閉状に閉塞してろ過材４及び水の流出を阻止するものである。
【００３１】
前記開口エンドキャップ６は、ＡＢＳ樹脂等の樹脂材により円盤状に形成されており、両円筒状多孔性フィルター２，３の下端部側を密閉状に支持すると共に、外側の円筒状多孔性フィルター２と内側の円筒状多孔性フィルター３との間隙の下端部開口を密閉状に閉塞してろ過材４及び水の流出を阻止するものである。
又、開口エンドキャップ６の中心部には、内側の円筒状多孔性フィルター３の内部空間に連通する浄化水Ｗ′の流出口６ａが形成されている。この流出口６ａは、開口エンドキャップ６の中心部に筒体６′を挿着固定することにより形成されている。尚、この筒体６′は、開口エンドキャップ６と一体的に形成するようにしても良い。
【００３２】
而して、上述した構成の水の浄化用フィルターカートリッジ１は、例えば、特開平９−１１７７５８号公報の図１に示す構造の浄化装置、特開２０００−０５９１５３号公報の図２に示す構造の浄水器、特開２００２−０６６５４７号公報の図１に示す構造の浄水器、特開２００４−３３０１２０号公報の図１に示す構造の浄水器、特開２００５−２１１７２９号公報の図１に示す構造の浄水器、特開２００６−０２６５１７号公報の図１に示す構造の浄水器、特開２００８−１０４９０２号公報の図２に示す構造の浄水器、登録実用新案第３１０８４５０号公報の図４に示す構造の浄水器等に夫々組み込まれて使用されており、水道水Ｗを外側の円筒状多孔性フィルター２を通過させた後、外側の円筒状多孔性フィルター２と内側の円筒状多孔性フィルター３との間隙に充填したろ過材４を半径方向へ流通させ、最後に内側の円筒状多孔性フィルター３を通過させて開口エンドキャップ６の流出口６ａから浄化水Ｗ′として流出させるようにしている。
その結果、この水の浄化用フィルターカートリッジ１を用いれば、水道水Ｗが外側の円筒状多孔性フィルター２及び内側の円筒状多孔性フィルター３を通過することによって、水道水Ｗ中の比較的粒径の大きな無機物や有機物、菌類或いは溶解化学物質が除去され、又、水道水Ｗが活性炭、セラミックス又は金属のうちの何れか一種類又は二種類以上の混合物から成るろ過材４を半径方向へ通過することによって、活性炭により浄化処理されたり、或いはセラミックスや金属の特性を生かした機能水を作ることができる。
【００３３】
例えば、活性炭から成るろ過材４を用いた水の浄化用フィルターカートリッジ１に於いては、活性炭の浄化作用によって、水道水Ｗに含まれている塩素やトリハロメタン等の有害物質が除去されて水道水Ｗが浄化処理される。
【００３４】
又、セラミックスから成るろ過材４を用いた水の浄化用フィルターカートリッジ１に於いては、使用するセラミックスの種類（遠赤外線セラミックス、圧電性電子セラミックス、ミネラルセラミックス、磁気セラミックス、銅イオンセラミックス）によって、水道水Ｗが活性化処理されたり、或いは抗菌処理又は防カビ処理されたり、或いは水道水Ｗの味の改善が行われたりする。
【００３５】
更に、金属から成るろ過材４を用いた水の浄化用フィルターカートリッジ１に於いては、使用する金属の種類（銅、黄銅、錫、亜鉛、マグネシウム、シリコン、チタン、銀、プラチナ、金、ゲルマニウム、バナジウム等）によって、水道水Ｗが抗菌処理又は防カビ処理されたり、或いは水道水Ｗにミネラル成分が添加されたりして様々な機能水を作ることができる。
特に、銅、亜鉛、マグネシウム、ゲルマニウム、バナジウム等の金属と活性炭の混合物から成るろ過材４を用いた水の浄化用フィルターカートリッジ１に於いては、水中でろ過材４の活性炭の炭素と金属の接触電位差によって、微量の金属イオンと水素ガスが生成され、発生した水素ガスによって、水が水素溶存水となり、水の酸化還元電位が引き下げられて酸化し難い水となる。
【００３６】
そして、亜硫酸カルシウムを含んだろ過材４を用いた水の浄化用フィルターカートリッジ１に於いては、亜硫酸カルシウムが亜硫酸イオンを微量に水に溶かしながら、残留塩素と反応し、残留塩素を効率的に分解することになる。そのため、水道水Ｗの処理量を多くすることができる。
【００３７】
このように、前記水の浄化用フィルターカートリッジ１は、活性炭によって、水の浄化処理を行えると共に、セラミックスや金属によって、セラミックスや金属の特性を生かした機能水を作ることができる。
又、この浄化用フィルターカートリッジ１は、外側の円筒状多孔性フィルター２と内側の円筒状多孔性フィルター３との間隙に、固形状に成形していない粒状、粉状又は繊維状のろ過材４を充填し、水道水Ｗを成形固化していないろ過材４の半径方向へ流通させる構成としているため、ろ過材４が濁度成分によって閉塞し難くなると共に、水がろ過材４内を均一に流れて全てのろ過材４が有効に利用されることなる。その結果、この浄化用フィルターカートリッジ１は、寿命が大幅に延びると共に、交換や洗浄の回数が少なくなって経済性や取扱性に優れたものとなり、然も、成形固化したフィルターを用いたカートリッジに比較してコストの低減を図れる。
更に、この浄化用フィルターカートリッジ１は、水が外側の円筒状多孔性フィルター２、ろ過材４及び内側の円筒状多孔性フィルター３を順次通過するため、水のろ過率が高くなると共に、ろ過材４のみを用いたカートリッジに比較してろ過材４の寿命が長くなる。
そのうえ、この浄化用フィルターカートリッジ１は、ろ過材４が固形状に成形されていないため、様々なろ過材４を目的に合わせて自由に混合して作ることができるうえ、成形固化等の工程を必要としないのでろ過材４を簡単且つ容易に作ることができる。
【００３８】
図２は本発明の第２の実施形態に係る水の浄化用フィルターカートリッジ１を示し、当該水の浄化用フィルターカートリッジ１は、図２に示す如く、同心円状に配設された外側の円筒状多孔性フィルター２及び内側の円筒状多孔性フィルター３と、外側の円筒状多孔性フィルター２と内側の円筒状多孔性フィルター３との間隙に充填された粒状、粉状又は繊維状のろ過材４と、両円筒状多孔性フィルター２，３及びろ過材４の一端部側（上端部側）を密閉状に支持する密閉エンドキャップ５と、両円筒状多孔性フィルター２，３及びろ過材４の他端部側（下端部側）を密閉状に支持し、中心部に両円筒状多孔性フィルター２，３及びろ過材４を通過した浄化水Ｗ′が流出する流出口６ａを形成した開口エンドキャップ６と、内側の円筒状多孔性フィルター３の内部空間に開口エンドキャップ６の流出口６ａに連通する状態で配設され、筒状のケース内に抗菌材又は水活性材若しくは抗菌材及び水活性材の両方を充填して成る４次フィルター７とから成り、水道水Ｗが外側の円筒状多孔性フィルター２、ろ過材４及び内側の円筒状多孔性フィルター３を半径方向へ流通した後、４次フィルター７を通って開口エンドキャップ６の流出口６ａから浄化水Ｗ′となって流出するようにしたものである。
【００３９】
前記４次フィルター７は、ＡＢＳ樹脂等の樹脂材により形成された筒状のケース内に抗菌材又は水活性材若しくは抗菌材及び水活性材の両方を充填し、ケースの両端部開口に金属網製又はパンチングメタル製若しくは樹脂製のスクリーンを着脱自在に取り付けて抗菌材又は水活性材の流出を阻止したものであり、内側の円筒状多孔性フィルター３の内部空間に配設されてその下端部が開口エンドキャップ６の流出口６ａを形成する筒体６′に挿着支持されている。
この４次フィルター７の抗菌材としては、銀、銅、亜鉛等の抗菌性金属を含有している無機系抗菌材又は有機系抗菌材や抗菌性のセラミックスが使用されている。
又、４次フィルター７の水活性材としては、トルマリン、石灰岩、花崗岩等の天然鉱石や遠赤外線セラミックス等のセラミックスが使用されている。
【００４０】
図２に示す水の浄化用フィルターカートリッジ１は、内側の円筒状多孔性フィルター３の内部空間に４次フィルター７を配設したこと以外は、図１に示す水の浄化用フィルターカートリッジ１と全く同一形状及び同一構造に構成されており、図１に示す水の浄化用フィルターカートリッジ１と同じ部位・部材には同一の参照番号を付し、その詳細な説明を省略する。
この水の浄化用フィルターカートリッジ１も、図１に示す水の浄化用フィルターカートリッジ１と同様の作用効果を奏することができる。然も、この水の浄化用フィルターカートリッジ１は、内側の円筒状多孔性フィルター３の内部空間に４次フィルター７を配設しているため、水道水Ｗのろ過率がより一層高くなると共に、より優れた機能水を作ることができる。
【図面の簡単な説明】
【００４１】
【図１】本発明の第１の実施形態に係る水の浄化用フィルターカートリッジの概略縦断面図である。
【図２】本発明の第２の実施形態に係る水の浄化用フィルターカートリッジの概略縦断面図である。
【符号の説明】
【００４２】
１は水の浄化用フィルターカートリッジ、２は外側の円筒状多孔性フィルター、３は内側の円筒状多孔性フィルター、４はろ過材、５は密閉エンドキャップ、６は開口エンドキャップ、６ａは開口エンドキャップの流出口、７は４次フィルター、Ｗは水道水、Ｗ′は浄化水。
【図１】
2010005485.tif 000003
【図２】
2010005485.tif 000004
【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
同心円状に配設された外側の円筒状多孔性フィルター及び内側の円筒状多孔性フィルターと、外側の円筒状多孔性フィルターと内側の円筒状多孔性フィルターとの間隙に充填されたろ過材と、両円筒状多孔性フィルター及びろ過材の一端部側を密閉状に支持する密閉エンドキャップと、両円筒状多孔性フィルター及びろ過材の他端部側を密閉状に支持し、内側の円筒状多孔性フィルターの内部空間に連通する浄化水の流出口を形成した開口エンドキャップとから構成されており、水を外側の円筒状多孔性フィルター、ろ過材及び内側の円筒状多孔性フィルターの半径方向へ流通させて浄化するようにした水の浄化用フィルターカートリッジであって、前記ろ過材が、粒状、粉状又は繊維状であり、固形状に成形されていないことを特徴とする水の浄化用フィルターカートリッジ。
【請求項２】
内側の円筒状多孔性フィルターの内部空間に、筒状のケース内に抗菌材又は水活性材若しくは抗菌材及び水活性材の両方を充填して成る４次フィルターを開口エンドキャップの流出口に連通する状態で配設し、外側の円筒状多孔性フィルター、ろ過材及び内側の円筒状多孔性フィルターを通過した浄化水を４次フィルターを通過させる構成としたことを特徴とする請求項１に記載の水の浄化用フィルターカートリッジ。
【請求項３】
ろ過材が活性炭から成ることを特徴とする請求項１又は請求項２に記載の水の浄化用フィルターカートリッジ。
【請求項４】
ろ過材がセラミックスから成ることを特徴とする請求項１又は請求項２に記載の水の浄化用フィルターカートリッジ。
【請求項５】
ろ過材が、銅、黄銅、錫、亜鉛、マグネシウム、シリコン、チタン、銀、プラチナ、金、ゲルマニウム、バナジウム等の金属のうちの何れか一種類又は二種類以上の金属から成ることを特徴とする請求項１又は請求項２に記載の水の浄化用フィルターカートリッジ。
【請求項６】
ろ過材が、活性炭、セラミックス又は金属のうちの少なくとも二種類以上の混合物から成ることを特徴とする請求項１又は請求項２に記載の水の浄化用フィルターカートリッジ。
【請求項７】
ろ過材に亜硫酸カルシウムが含まれていることを特徴とする請求項１、請求項２、請求項３、請求項４、請求項５又は請求項６に記載の水の浄化用フィルターカートリッジ。
【請求項８】
外側の円筒状多孔性フィルター及び内側の円筒状多孔性フィルターの材質が、ポリプロピレン樹脂材、ポリエチレン樹脂材又はポリエステル樹脂材であることを特徴とする請求項１、請求項２、請求項３、請求項４、請求項５、請求項６又は請求項７に記載の水の浄化用フィルターカートリッジ。
【手続補正２】
【補正対象書類名】明細書
【補正対象項目名】００１８
【補正方法】変更
【補正の内容】
【００１８】
本発明の請求項８の発明は、請求項１、請求項２、請求項３、請求項４、請求項５、請求項６又は請求項７の発明に於いて、外側の円筒状多孔性フィルター及び内側の円筒状多孔性フィルターの材質が、ポリプロピレン樹脂材、ポリエチレン樹脂材又はポリエステル樹脂材であることに特徴がある。
【手続補正３】
【補正対象書類名】明細書
【補正対象項目名】００２２
【補正方法】変更
【補正の内容】
【００２２】
前記外側の円筒状多孔性フィルター２及び内側の円筒状多孔性フィルター３は、ポリプロピレン樹脂材（ＰＰ樹脂材）、ポリエチレン樹脂材（ＰＥ樹脂材）又はポリエステル樹脂材により多孔性を有する円筒状に形成されている。
【手続補正４】
【補正対象書類名】明細書
【補正対象項目名】００２３
【補正方法】変更
【補正の内容】
【００２３】
具体的には、外側の円筒状多孔性フィルター２及び内側の円筒状多孔性フィルター３は、ポリプロピレン繊維製、ポリエチレン繊維製又はポリエステル繊維製（例えば、ポリエチレンテレフタレート繊維製）の不織布又は織布により多孔性を有する円筒状に形成されている。
又、外側の円筒状多孔性フィルター２及び内側の円筒状多孔性フィルター３の通水孔径は、外側の円筒状多孔性フィルター２と内側の円筒状多孔性フィルター３との間隙に充填された粒状、粉状又は繊維状のろ過材４の流出を防止すると共に、水道水Ｗを通過せしめて水道水Ｗ中の比較的粒径の大きな無機物や有機物等を通過させずに除去できる程度に設定されている。この実施形態に於いては、両円筒状多孔性フィルター２，３の平均孔径は、５μｍ〜１５μｍ程度に設定されている。
更に、外側の円筒状多孔性フィルター２及び内側の円筒状多孔性フィルター３の厚みは、両円筒状多孔性フィルター２，３が円筒形状を保つことができる機械的強度を有するように設定されている。
【手続補正５】
【補正対象書類名】明細書
【補正対象項目名】００２４
【補正方法】変更
【補正の内容】
【００２４】
尚、上記の実施形態に於いては、外側の円筒状多孔性フィルター２及び内側の円筒状多孔性フィルター３をポリプロピレン繊維製、ポリエチレン繊維製又はポリエステル繊維製の不織布又は織布により多孔性を有する円筒状に形成するようにしたが、他の実施形態に於いては、外側の円筒状多孔性フィルター２及び内側の円筒状多孔性フィルター３をポリプロピレン樹脂製、ポリエチレン樹脂製又はポリエステル樹脂製の樹脂粒又は樹脂粉末を円筒状に焼き固めて形成するようにしても良い。この場合、両円筒状多孔性フィルター２，３は、多孔性を有し、且つ円筒形状を保てる機械的強度を有していることは勿論である。